(57)【要約】【課題】各監視拠点のデマンド時限が時間的にずれている場合において全体デマンド値を単調増加させ、各監視拠点の現在デマンドの合算値と全体デマンド値とを等しくなるようにする。【解決手段】デマンド一括監視装置において、デマンド監視装置の各々のデマンド時限を取得して各々のデマンド時限の時間的ずれを判別して各々のデマンド時限の時間的ずれに基づいて全体デマンド時限が設定され、全体デマンド時限を規準にしてデマンド監視装置のデマンド時限が全体デマンド時限より遅れている場合は当該デマンド監視装置の現在デマンド値をデマンド監視装置のデマンド時限が全体デマンド時限より早い場合は当該デマンド監視装置の前回デマンド値を合算するデマンド一括監視システムである。【選択図】図２
2015027251.tif 000002
【特許請求の範囲】
【請求項１】
複数の監視拠点のデマンド監視装置の各々のデマンド値を前記デマンド監視装置の各々からネットワークを介して取得し前記デマンド監視装置の各々のデマンド値を合算して全体デマンド値を生成するデマンド一括監視装置において、
前記デマンド監視装置の各々のデマンド時限を取得して前記各々のデマンド時限のうちのデマンド時限が最も遅いデマンド監視装置のデマンド時限が全体デマンド時限に設定されるとともに、
前記全体デマンド時限が開始してから前記デマンド監視装置のデマンド時限が終了するまでは当該デマンド監視装置の現在デマンド値を合算し、前記デマンド監視装置のデマンド時限が終了してから前記全体デマンド時限が終了するまでは当該デマンド監視装置の前回デマンド値を合算する
ことを特徴とするデマンド一括監視装置。
【請求項２】
前記デマンド時限が最も遅いデマンド監視装置は、前記デマンド監視装置の各々のデマンド時限の残りの時間に基づいて決定される
ことを特徴とする請求項１に記載のデマンド一括監視装置。
【請求項３】
前記デマンド一括監視装置が、前記デマンド監視装置の各々のデマンド時限の残りの時間を前記デマンド監視装置から取得する
ことを特徴とする請求項２に記載のデマンド一括監視装置。
【請求項４】
前記全体デマンド時限が開始してから前記デマンド監視装置のデマンド時限が終了するまでは当該デマンド監視装置の予測デマンド値を、前記デマンド監視装置のデマンド時限が終了してから前記全体デマンド時限が終了するまでは当該デマンド監視装置の前回のデマンド時限における予測デマンド値を合算する
ことを特徴とする請求項１〜請求項３のいずれか１項に記載のデマンド一括監視装置。
【請求項５】
前記前回のデマンド時限における予測デマンドは、前記デマンド監視装置から取得した前回デマンド値に基づいて設定される
ことを特徴とする請求項４に記載のデマンド一括監視装置。
【請求項６】
請求項１〜請求項４のいずれか１項に記載のデマンド一括監視装置を有することを特徴とするデマンド一括監視システム。
【請求項７】
各監視拠点のデマンド監視装置の各々が、前記デマンド時限の基準となる現在時刻を、復電時に停電前の現在時刻に合わせる手段を有している
請求項６に記載のデマンド一括監視システム。
【請求項８】
各監視拠点のデマンド監視装置の各々が、前記デマンド時限の基準となる現在時刻を、復電時に前記デマンド一括監視装置の前記全体デマンド時限の現在時刻に合わせる手段を有している請求項６に記載のデマンド一括監視システム。
【請求項９】
各監視拠点のデマンド監視装置の各々のデマンド値を前記デマンド監視装置の各々からネットワークを介してデマンド一括監視装置が取得し前記デマンド監視装置の各々のデマンド値を合算して全体デマンド値を生成するデマンド一括監システムに使用されるデマンド監視装置であって、
前記デマンド時限の基準となる現在時刻を、復電時に停電前の現在時刻に合わせる手段を有している
ことを特徴とするデマンド監視装置。
【請求項１０】
各監視拠点のデマンド監視装置の各々のデマンド値を前記デマンド監視装置の各々からネットワークを介してデマンド一括監視装置が取得し前記デマンド監視装置の各々のデマンド値を合算して全体デマンド値を生成するデマンド一括監システムに使用されるデマンド監視装置であって、
前記デマンド時限の基準となる現在時刻を、復電時に前記デマンド一括監視装置の前記全体デマンド時限の現在時刻に合わせる手段を有している
ことを特徴とするデマンド監視装置。
【発明の詳細な説明】
【技術分野】
【０００１】
本発明は、複数の監視拠点のデマンド（デマンド時限内の平均電力）を一括して監視するデマンド一括監視システム、デマンド一括監視システムに使用されるデマンド一括監視装置、およびデマンド一括監視システムに使用されるデマンド監視装置に関するものである。
【背景技術】
【０００２】
従来のデマンド監視は、デマンド監視装置を用いて、発振装置付電力量計からのパルス数により電力量を取得し、デマンド時限中にデマンドが契約需用電力を超えないように現在電力を監視し、超えそうなときには超えないように負荷制御を行っていた（例えば、特許文献１参照）。
また、複数の監視拠点のデマンド監視を行うデマンド一括監視システムではそれぞれの監視拠点にデマンド監視装置を設け、それぞれのデマンドを監視するとともに、各監視拠点のデマンド監視装置からそれぞれデマンドをデマンド一括監視装置に集め、全体デマンドを監視していた（特許文献２参照）。そして、この全体デマンドの算出には、各監視拠点のデマンドを単純に合算することで全体デマンドとしていた。
【先行技術文献】
【特許文献】
【０００３】
【特許文献１】特公昭５９−４４８５８号公報
【特許文献１】特開２００１‐３２０８３２号公報
【発明の概要】
【発明が解決しようとする課題】
【０００４】
従来のデマンド一括監視装置では、ネットワークに接続された任意のグループに属する各監視拠点の現在デマンド（デマンド時限の途中における計量値）を単純に合算することで全体の現在デマンドを監視していた。しかし、単純に各現在デマンドを合算した場合、図１１のように各監視拠点に設置された各デマンド監視装置の各々のデマンド時限２０，２１，２２の時間的ずれにより、各監視拠点の現在デマンドがバラバラにゼロにもどるため、単純に各現在デマンドを合算して得られた合算値であるデマンド一括監視装置における全体の現在デマンド２３は、単調増加にならず、デマンド時限の切り替り付近で増減が生じる。また、この増減により各監視拠点のデマンド時限の終了時のデマンドの合算値と、デマンド一括監視装置で合算した全体デマンド（デマンド監視の各監視拠点の現在デマンドの合算値における最終値）とが一致せず、正確なデマンド監視および適切な負荷制御ができないという問題があった。
【０００５】
また、現在の負荷状態が続いた場合にデマンド時限の終了時のデマンドがいくらになるかを予測した予測デマンドにおいても、各デマンド監視拠点の予測デマンドをデマンド一括監視装置で単純に合算して全体予測デマンドを算出すると、各監視拠点のデマンド時限の時間的ずれにより、全体予測デマンドが単調増加にならず、時限の切り替り付近で予測デマンドが減少してしまい、デマンド一括監視装置におけるデマンド時限の終了時に全体予測デマンドと全体デマンドとが一致しないこととなり、正確なデマンド監視および適切な負荷制御ができないという問題があった。
【０００６】
この発明は、前述のような課題を解決するためになされたもので、各監視拠点のデマンド時限が時間的にずれている場合においても、各監視拠点のデマンドの合算値とデマンド一括監視装置の全体デマンドとを等しくなるようにするとともに、デマンド一括監視装置におけるデマンド時限の終了時に全体予測デマンドと全体デマンドとが等しくなるようにすることを目的とするものである。
【課題を解決するための手段】
【０００７】
この発明に係わるデマンド一括監視システムは、複数の監視拠点のデマンド監視装置の各々のデマンド値を前記デマンド監視装置の各々からネットワークを介して取得しデマンド監視装置の各々のデマンド値を合算して全体デマンド値を生成するデマンド一括監視装置において、デマンド監視装置の各々のデマンド時限を取得して各々のデマンド時限のうちのデマンド時限が最も遅いデマンド監視装置のデマンド時限が全体デマンド時限に設定されるとともに、全体デマンド時限が開始してからデマンド監視装置のデマンド時限が終了するまでは当該デマンド監視装置の現在デマンド値を合算し、デマンド監視装置のデマンド時限が終了してから全体デマンド時限が終了するまでは当該デマンド監視装置の前回デマンド値を合算するものである。
【発明の効果】
【０００８】
この発明によれば、デマンド一括監視装置において、デマンド監視装置の各々のデマンド時限を取得して各々のデマンド時限のうちのデマンド時限が最も遅いデマンド監視装置のデマンド時限が全体デマンド時限に設定されるとともに、全体デマンド時限が開始してからデマンド監視装置のデマンド時限が終了するまでは当該デマンド監視装置の現在デマンド値を合算し、デマンド監視装置のデマンド時限が終了してから全体デマンド時限が終了するまでは当該デマンド監視装置の前回デマンド値を合算するので、各監視拠点のデマンド時限が時間的にずれている場合においても全体デマンドを単調増加させ、各監視拠点の現在デマンドの時限の最終値の合算値と全体デマンドの時限の最終値とを等しくなるという効果がある。
【図面の簡単な説明】
【０００９】
【図１】本発明の実施の形態１におけるデマンド一括監視システムの全体の構成の一例を示すブロック図である。
【図２】本発明の実施の形態１によるデマンド一括監視装置の構成の一例を示すブロック図である。
【図３】本発明の実施の形態１によるデマンド監視装置の構成を示すブロック図である。
【図４】本発明の実施の形態１によるデマンド一括監視装置の現在デマンド合算機能を示すフローチャートである。
【図５】本発明の実施の形態１によるデマンド一括監視装置の現在デマンド合算機能を示すフローチャートのサブルーチンである。
【図６】本発明の実施の形態１によるデマンド一括監視装置の予測デマンド合算機能を示すフローチャートである。
【図７】本発明の実施の形態１によるデマンド一括監視装置の予測デマンド合算機能を示すフローチャートのサブルーチンである。
【図８】本発明の実施の形態２によるデマンド監視装置の停復電時の時刻補正機能を示すブロック図である。
【図９】本発明の実施の形態３によるデマンド監視装置の停復電時の時刻補正機能を示すブロック図である。
【図１０】本発明のデマンド一括監視装置を用いた全体デマンドの説明図である。
【図１１】従来のデマンド一括監視装置を用いた全体デマンドの説明図である。
【発明を実施するための形態】
【００１０】
実施の形態１．
本発明の実施の形態１のデマンド一括監視装置を図１〜図３を用いて説明する。
図１は、本発明の実施形態１におけるデマンド一括監視装置の全体の構成を示すブロック図であり、各監視拠点の管理用計器や、参考用計器、その他電力量を計量可能な計測器である５ａ，５ｂ（本実施の形態では電力量計（取引計器）を例示してある）から、各監視拠点のデマンド監視装置３ａ，３ｂに計量値をパルスやデジタルデータ等の計量値伝達手段４ａ，４ｂで伝送し、監視拠点ごとのデマンド監視及び負荷制御を行う。各監視拠点のデマンド監視装置はイーサネット（登録商標）や無線通信などのネットワーク２によってデマンドの情報や負荷の制御情報などを伝送し、各監視拠点のデマンドをデマンド一括監視装置１にて合算した全体のデマンドをデマンド一括監視装置１のディスプレイ（表示部）６やネットワーク２上のパソコン７で表示する構成である。
【００１１】
図２は、図１のデマンド一括監視装置１の構成を示すブロック図であり、デマンド一括監視装置１は、図２に例示のように、通信部１０１、全体時限の判定機能１０２、現在デマンド選択機能１０３、予測デマンド選択機能１０４、全体現在デマンド合算機能１０５、全体予測デマンド合算機能１０６、および表示部１０７を有している。
【００１２】
通信部１０１は各監視拠点のデマンド監視装置３ａ、３ｂからネットワーク２を介して、デマンド時限の残り時間、現在デマンド値、前回デマンド値、予測デマンド値を取得する。全体時限の判定機能１０２は各監視拠点のデマンド監視装置３ａ、３ｂのデマンド時限の残り時間を使って、最も時限の切り替りが遅い監視拠点のデマンド監視装置の時限を全体デマンド時限として決定する。現在デマンド選択機能１０３は全体デマンド時限よりも早く時限が切り替った監視拠点からは前回デマンドを取得し、時限が切り替っていない監視拠点からは現在デマンドを取得する。
【００１３】
現在デマンド選択機能１０３にて取得した現在デマンドもしくは前回デマンドを全体現在デマンド合算機能１０５にて合算し、表示部１０７にてグラフ、表等のイメージを作成し、ディスプレイ（表示部）６に表示することでユーザーに全体現在デマンドを示し、予測デマンド選択機能１０４は取得した予測デマンドもしくは前回デマンドを全体予測デマンド合算機能１０６にて合算し、表示部１０７にてグラフ、表等のイメージを作成し、ディスプレイ（表示部）６に表示することでユーザーに全体予測デマンドを示す構成である。
【００１４】
図３は、図１のデマンド監視装置３ａ、３ｂの構成を示すブロック図であり、図３ではデマンド監視装置３ａ、３ｂの各々を代表してデマンド監視装置３と表記してある。
デマンド監視装置３は、時計機能３０１、現在デマンド計測機能３０２、前回値記憶部３０３、予測デマンド計算機能３０４、および通信部３０５を有している。
時計機能３０１にてデマンド時限の残り時間をカウントし、現在デマンド計測機能３０２にて各デマンド時限の現在デマンドを計測し、デマンド時限が切り替った場合には前回値記憶部３０３に前回値を記憶する。この前回値が前回デマンド値である。
予測デマンド計算機能３０４ではデマンド時限の残り時間と現在デマンド値から予測デマンドを計算する。
通信部３０５は時計機能３０１にてカウントしたデマンド時限の残り時間、現在デマンド計測機能３０２で計測した現在デマンド値、前回値記憶部３０３にて記憶してある前回デマンド値、予測デマンド計算機能３０４にて計算した予測デマンド値をネットワーク２に伝送する。
【００１５】
図４、図５は図２のデマンド一括監視装置１での全体現在デマンド合算機能１０５の処理についてフローチャートで例示したものである。デマンド一括監視装置１は、全体デマンド時限を決めるために、ネットワーク２を介して接続された各デマンド監視装置３ａ，３ｂからデマンド時限を取得し、ステップＳ１０１にて各デマンド監視装置３ａ，３ｂのデマンド時限を比較し、どのデマンド監視装置のデマンド時限の切り替りが一番遅いかを判定する。この判定によりデマンド一括監視装置１は、一番遅いデマンド時限を全体デマンド時限とする。
デマンド時限が一番遅いデマンド監視装置のデマンド時限が前記全体デマンド時限と等しいため、デマンド一括監視装置１での現在デマンドの合算には、合算の都度、デマンド時限が一番遅いデマンド監視装置の現在デマンド値を常に用いる。
デマンド時限が一番遅いデマンド監視装置以外のデマンド監視装置については、デマンド一括監視装置１での現在デマンドの合算には、ステップＳ１０２のサブルーチン内にて、全体のデマンドとして合算するデマンド値を選択する。
【００１６】
ステップＳ１０２のサブルーチン内では、図５示すに示す処理をすべてのデンマンド監視装置について行うが、ここでは、簡略化のため１台分の処理として記載している。まず、取得してきた個別のデマンド監視装置のデマンド時限の残り時間と前記全体デマンド時限の残り時間とをステップＳ１０４にて比較し、全体デマンド時限の残り時間が或る一の個別のデマンド監視装置（例えばデマンド監視装置３ａ）のデマンド時限の残り時間よりも多ければ、当該或る一の個別のデマンド監視装置のデマンド時限が終了していないと判定し、ステップＳ１０５にて前記或る一の個別のデマンド監視装置の現在デマンド値を用いる。
前記全体デマンド時限の残り時間が他の一の個別のデマンド監視装置（例えばデマンド監視装置３ｂ）のデマンド時限の残り時間よりも少なければ、当該他の一の個別のデマンド監視装置のデマンド時限が終了していると判断し、ステップＳ１０６にて当該他の一の個別のデマンド監視装置の前回デマンド値を用いる。
前記全体デマンド時限の残り時間と前記各デマンド監視装置の各々のデマンド時限の残り時間との比較により決定されたデマンド値を、デマンド一括監視装置１における現在デマンド合算処理の度にデマンド一括監視装置１で合算し、デマンド一括監視装置１において全体現在デマンドとする（ステップＳ１０３）。
【００１７】
なお、ステップＳ１０２のサブルーチン内では、図５示すに示す処理をすべてのデンマンド監視装置について行うが、ここでは、簡略化のため１台分の処理として記載している。
図１０は図４、図５のフローチャートに基づく全体デマンドの計算例を示す説明図である。デマンド監視装置Ａ，Ｂ，Ｃのそれぞれのデマンドのグラフ１０，１１，１２は時間をあわせて並べられている。図５に示す処理によってデマンドのグラフ１０，１１，１２は補正されて、補正後のデマンドはグラフ１３，１４，１５となる。図４のステップS203の処理によって補正後のデマンドのグラフ１３，１４，１５が合算されると、全体デマンドはグラフ１６のように単調増加となり、デマンド時限の切り替り付近で増減は発生しない。
【００１８】
図６、図７は図２のデマンド一括監視装置１での全体予測デマンド合算機能１０６の処理についてフローチャートで例示したものであり、この全体予測デマンド合算機能１０６の内容は、段落００１５および００１６で前述した全体現在デマンド合算機能１０５の処理と同じ処理手法により、段落００１５および００１６で前述した現在デマンドを予測デマンドに置き換えて処理するものである。
つまり、デマンド一括監視装置１は、全体のデマンド時限を決めるために、ネットワーク２を介して接続された各デマンド監視装置３ａ，３ｂからデマンド時限を取得し、ステップＳ２０１にて各デマンド監視装置３ａ，３ｂのデマンド時限を比較し、どのデマンド監視装置のデマンド時限の切り替りが一番遅いかを判定する。この判定によりデマンド一括監視装置１は、一番遅いデマンド時限を全体デマンド時限とする。
デマンド時限が一番遅いデマンド監視装置のデマンド時限が前記全体デマンド時限と等しいため、デマンド一括監視装置１での予測デマンドの合算には、合算の都度、デマンド時限が一番遅いデマンド監視装置の予測デマンド値を常に用いる。
デマンド時限が一番遅いデマンド監視装置以外のデマンド監視装置については、デマンド一括監視装置１での予測デマンドの合算には、ステップＳ２０２のサブルーチン内にて、全体予測デマンドの合算に用いる予測デマンド値を選択する。
【００１９】
ステップＳ２０２のサブルーチン内では、図７示すに示す処理をすべてのデンマンド監視装置について行うが、ここでは、簡略化のため１台分の処理として記載している。
このサブルーチン内では、まず、取得してきた個別のデマンド監視装置のデマンド時限の残り時間と前記全体デマンド時限の残り時間とをステップＳ２０４にて比較し、全体デマンド時限の残り時間が或る一の個別のデマンド監視装置（例えばデマンド監視装置３ａ）のデマンド時限の残り時間よりも多ければ、当該或る一の個別のデマンド監視装置のデマンド時限が終了していないと判定し、ステップＳ２０５にて前記或る一の個別のデマンド監視装置の予測デマンド値を用いる。
前記全体デマンド時限の残り時間が他の一の個別のデマンド監視装置（例えばデマンド監視装置３ｂ）のデマンド時限の残り時間よりも少なければ、当該他の一の個別のデマンド監視装置のデマンド時限が終了していると判断し、ステップＳ２０６にて当該他の一の個別のデマンド監視装置の前回デマンド値を用いる。
前記全体デマンド時限の残り時間と前記各デマンド監視装置の各々のデマンド時限の残り時間との比較により決定された予測デマンド値を、デマンド一括監視装置１における予測デマンド合算処理の度にデマンド一括監視装置１で合算し、デマンド一括監視装置１において全体予測デマンドとする（ステップＳ２０３）。
【００２０】
実施の形態２．
実施の形態２は停復電時の時刻補正機能を持つデマンド監視装置を用いたデマンド一括監視の事例であり、図８に例示のように、デマンド監視装置３は、取引用計器（図３における電力量計５など）からパルス信号を取得し、デマンド演算機能５０１（前述の図３における現在デマンド計測機能３０２、前回値記憶部３０３、予測デマンド計算機能３０４、などによるデマンド演算機能）にてデマンド演算を行い、実施の形態１と同様にデマンド値をデマンド一括監視装置１に通信部５０８（図３における通信部３０５に相当）から送信する。
デマンド監視装置３の時刻は商用周波計時機能５０２によって計時され、現在時刻５０３である。現在時刻５０３は取引用計器の時刻に合わせるが、デマンド一括監視装置によって監視される取引用計器の時刻はデマンド一括監視装置と時間的にずれていることから前述の実施の形態１のようにデマンド一括監視装置における特別な合算処理を行う。従って、デマンド監視装置に停電が生じた場合には、デマンド監視装置では、復電時に時刻が時間的にずれないように、それぞれのデマンド監視装置で個別に時刻を再設定する必要がある。
【００２１】
停電が生じた場合、デマンド監視装置３の商用周波計時機能５０２は計時を行わない。そのため、復電時に正しく時刻を設定するため、図８のようにデマンド監視装置にバッテリー５０５と水晶振動子５０４とを組み込み、停電時にも計時を行うことにより、デマンド監視装置３に停電が生じた場合には、デマンド監視装置３では、復電時に時刻が時間的にずれないようにすることができ、前述の実施の形態１のデマンド一括監視装置における特別な合算処理の処理結果の信頼性を上げることができる。
【００２２】
実施の形態３．
実施の形態３は、図９のように、デマンド監視装置３が時刻補正機能５０６と記憶装置５０７とを持つ事例である。デマンド監視装置３の復電時にデマンド監視装置３で正しく時刻を設定するためにデマンド一括監視装置１とデマンド監視装置３の商用周波計時機能５０２にて計時した現在時刻５０４との時間的ずれを時刻補正機能５０６にて演算し、時刻補正値として記憶装置５０７に保持しておき、復電時にデマンド一括監視装置１の時刻を通信部５０８（図３における通信部３０５に相当）にて取得し、デマンド一括監視装置１の時刻とデマンド監視装置３の時刻補正値とから演算を行い、デマンド監視装置３で正しい現在時刻を設定することができ、前述の実施の形態１のデマンド一括監視装置における特別な合算処理の処理結果の信頼性を上げることができる。
【００２３】
この発明の実施の形態１〜３は前述のような事例であり、総括すれば、以下のような特徴を有しているといえる。
特徴１：複数の監視拠点のデマンド監視装置の各々のデマンド値を前記デマンド監視装置の各々からネットワークを介して取得し前記デマンド監視装置の各々のデマンド値を合算して全体デマンド値を生成するデマンド一括監視装置において、
前記デマンド監視装置の各々のデマンド時限を取得して前記各々のデマンド時限のうちのデマンド時限が最も遅いデマンド監視装置のデマンド時限が全体デマンド時限に設定されるとともに、
前記全体デマンド時限が開始してから前記デマンド監視装置のデマンド時限が終了するまでは当該デマンド監視装置の現在デマンド値を合算し、前記デマンド監視装置のデマンド時限が終了してから前記全体デマンド時限が終了するまでは当該デマンド監視装置の前回デマンド値を合算する
ことを特徴とするデマンド一括監視装置である。
特徴２：  特徴１に記載のデマンド一括監視装置において、前記デマンド時限が最も遅いデマンド監視装置は、前記デマンド監視装置の各々のデマンド時限の残りの時間に基づいて決定されるデマンド一括監視装置である。
特徴３：特徴２に記載のデマンド一括監視装置において、前記デマンド一括監視装置が、前記デマンド監視装置の各々のデマンド時限の残りの時間を前記デマンド監視装置から取得するデマンド一括監視装置である。
特徴４：  特徴１〜３の何れか一に記載のデマンド一括監視装置において、前記全体デマンド時限が開始してから前記デマンド監視装置のデマンド時限が終了するまでは当該デマンド監視装置の予測デマンド値を、前記デマンド監視装置のデマンド時限が終了してから前記全体デマンド時限が終了するまでは当該デマンド監視装置の前回のデマンド時限における予測デマンド値を合算するデマンド一括監視装置である。
特徴５：  特徴４にデマンド一括監視装置において、前記前回のデマンド時限における予測デマンドは、前記デマンド監視装置から取得した前回デマンド値に基づいて設定されるデマンド一括監視装置である。
特徴６：  請求項１〜請求項４のいずれか１項に記載のデマンド一括監視装置を有することを特徴とするデマンド一括監視システムである。
特徴７：  特徴６にデマンド一括監視システムにおいて、各監視拠点のデマンド監視装置の各々が、前記デマンド時限の基準となる現在時刻を、復電時に停電前の現在時刻に合わせる手段を有しているデマンド一括監視システムである。
特徴８：  特徴６にデマンド一括監視システムにおいて、各監視拠点のデマンド監視装置の各々が、前記デマンド時限の基準となる現在時刻を、復電時に前記デマンド一括監視装置の前記全体デマンド時限の現在時刻に合わせる手段を有しているデマンド一括監視システムである。
特徴９：  各監視拠点のデマンド監視装置の各々のデマンド値を前記デマンド監視装置の各々からネットワークを介してデマンド一括監視装置が取得し前記デマンド監視装置の各々のデマンド値を合算して全体デマンド値を生成するデマンド一括監システムに使用されるデマンド監視装置であって、前記デマンド時限の基準となる現在時刻を、復電時に停電前の現在時刻に合わせる手段を有しているデマンド監視装置である。
特徴１０：  各監視拠点のデマンド監視装置の各々のデマンド値を前記デマンド監視装置の各々からネットワークを介してデマンド一括監視装置が取得し前記デマンド監視装置の各々のデマンド値を合算して全体デマンド値を生成するデマンド一括監システムに使用されるデマンド監視装置であって、前記デマンド時限の基準となる現在時刻を、復電時に前記デマンド一括監視装置の前記全体デマンド時限の現在時刻に合わせる手段を有しているデマンド監視装置である。
【００２４】
なお、本発明は、その発明の範囲内において、各実施の形態を適宜、変形、省略することができる。
なお、各図中、同一符合は同一または相当部分を示す。
【符号の説明】
【００２５】
５，５ａ，５ｂ  電力量計（取引計器）、６  ディスプレイ（表示部）、
７  パソコン、                      １０１，３０５，５０８  通信部、
１０２  全体デマンド時限の判定機能、１０３  現在デマンド選択機能、
１０４  予測デマンド選択機能、      １０５  全体現在デマンド合算機能、
１０６  全体予測デマンド合算機能、  １０７  表示部、
３０１  時計機能、                  ３０２  現在デマンド計測機能、
３０３  前回値記憶部、              ３０４  予測デマンド計算機能、
５０１  デマンド演算機能、          ５０２  商用周波計時機能、
５０３  現在時刻、                  ５０４  水晶振動子、
５０５  バッテリー、                ５０６  現在時刻補正機能、
Ｓ１０１  デマンド時限の比較、      Ｓ１０２  サブルーチン１、
Ｓ１０３  全体現在デマンド合算機能、Ｓ１０４  時限の残り時間判定、
Ｓ１０５  現在デマンドを選択、      Ｓ１０６  前回デマンドを選択、
Ｓ２０１  デマンド時限の比較、      Ｓ２０２  サブルーチン２、
Ｓ２０３  全体予測デマンド合算機能、Ｓ２０４  時限の残り時間判定、
Ｓ２０５  予測デマンドを選択、      Ｓ２０６  前回デマンドを選択、
１０,２０  デマンド監視装置Ａデマンドグラフ、
１１,２１  デマンド監視装置Ｂデマンドグラフ、
１２,２２  デマンド監視装置Ｃデマンドグラフ、
１３  補正後のデマンド監視装置Ａデマンドグラフ、
１４  補正後のデマンド監視装置Ｂデマンドグラフ、
１５  補正後のデマンド監視装置Ｃデマンドグラフ、
１６  本発明のデマンド一括監視装置の全体デマンドグラフ、
２３  従来のデマンド一括監視装置の全体デマンドグラフ。
【図１】
2015027251.tif 000003
【図２】
2015027251.tif 000004
【図３】
2015027251.tif 000005
【図４】
2015027251.tif 000006
【図５】
2015027251.tif 000007
【図６】
2015027251.tif 000008
【図７】
2015027251.tif 000009
【図８】
2015027251.tif 000010
【図９】
2015027251.tif 000011
【図１０】
2015027251.tif 000012
【図１１】
2015027251.tif 000013